(57)【要約】【目的】  開き障子にハンドル締りと戸先錠を備えた窓における誤操作による戸先錠の鎌の損傷、戸先錠の解錠不能が発生しない施錠装置を提供する。【構成】  ツマミ２８を上昇するとスライドプレート２２に設けたカム作動子２２ｂがカム溝２３ｃを押し上げて鎌２３を軸２５ｂを中心にして、回転して施錠する。解錠状態で開時ロック部２３ａ、施錠状態で閉時ロック部２３ｂがケース２１から突出すようにした。図外のハンドル締りと連動するスライドバーがあり、障子が開いているときはスライドバーが開時ロック部２３ａに当り、戸先錠２０を先に施錠できない。両者が施錠されているときスライドバーが閉時ロック部に当り、ハンドル締りを先に解錠できない。【選択図】      図５
2006193892.tif 000002
【特許請求の範囲】
【請求項１】
操作部材を操作することにより鎌が施錠位置と解錠位置とをとり、鎌側から鎌に加える外力によって操作部材を動かし得ないようにした戸先錠において、
鎌が解錠位置にあるときに鎌を支持しているケースから受け側へ突出しており、鎌を施錠位置にするとケース内へ退く開時ロック部と、
鎌が解錠位置にあるときにケース内に退いており、ケース内から鎌が施錠位置に移動すると鎌の移動につれて開時ロック部が突出した前後方向の位置まで前進する閉時ロック部と、
を有し、前記開時ロック部と閉時ロック部は上下方向の位置が異なることを特徴とする戸先錠。
【請求項２】
板面が平行なケースと、ケースの板面に直交して板面に嵌合された鎌支持軸と、鎌支持軸に枢着され施錠されてケースから突出した位置と解錠されてケース内に収容される鎌であって、施錠状態においてスライドプレートに設けたカム作動子により非可逆に鎌が回動するようにカム作動子と係合するカム部と、ケース内に鎌が収容された際に鎌が施錠方向へ向かう方向と同方向へ突出する開時ロック部と、ケース内から鎌が施錠位置に移動すると鎌先の移動につれて開時ロック部が突出した前後方向の位置まで前進する閉時ロック部とを有する鎌と、
鎌のカム部と係合するカム作動子を有し、ケースにスライド可能に設けられケース外に操作部を有し、鎌が施錠位置にあるときに一方端に位置し、鎌が解錠位置にあるときに他方端に位置するスライドプレートと、
スライドプレートを付勢するばねと、
を有することを特徴とする戸先錠。  
【請求項３】
ばねは鎌が施錠位置となるようにスライドプレートを常に一方端に向かって付勢するばねであることを特徴とする請求項２に記載の戸先錠。
【請求項４】
ばねはスライドプレートが、一方端にあるときは鎌が施錠位置となるように一方端に向かってスライドプレートを付勢し、他方端にあるときは鎌が解錠位置となるように他方端に向かってスライドプレートを付勢し、一方端と他方端間をスライドプレートがスライドするときに死点を有することを特徴とする請求項2に記載の戸先錠。  
【請求項５】
開き窓、辷り出し窓に用いられる施錠装置において、
戸先側框に設けられ、ハンドルを閉位置にすることにより、掛金を開口枠に設けた受に係合すると共にスライドを一方端へ移動し、ハンドルを開位置にすることにより、掛金を受から解放すると共にスライドを他方端へ移動するハンドル締りと、
戸先側框に設けられ、操作部材によって鎌が開口枠に設けた受けと係脱して施錠位置と解錠位置とをとる戸先錠であって、
鎌が解錠位置にあるときに鎌を支持しているケースから受け側へ突出しており、鎌を施錠位置にするとケース内へ退く開時ロック部と、
鎌が解錠位置にあるときにケース内に退いており、ケース内から鎌が施錠位置に移動すると鎌の移動につれて開時ロック部が突出した前後方向の位置まで前進する閉時ロック部と、
を有し、前記開時ロック部と閉時ロック部は上下方向の位置が異なる戸先錠と、
ハンドル締りと戸先錠の間にあってハンドル締りのスライドに結合されて戸先側框に沿って移動自在に設けられ、
ハンドル締りと、戸先錠が共に解錠されている際に開時ロック部に当接して戸先錠の操作による鎌の施錠を阻止し、
ハンドル締りと戸先錠が共に施錠されている際にハンドル締りを開操作しても閉時ロック部に当接してハンドル締りの解錠を阻止するためのスライドバーと、
を有することを特徴とする施錠装置。
【発明の詳細な説明】
【技術分野】
【０００１】
本発明は、開き窓、辷り出し窓に用いられる戸先錠及び戸先錠とハンドル締りを有する施錠装置に関する。
【背景技術】
【０００２】
従来、開き窓、辷り出し窓に用いられる戸先錠は戸当り框（戸先側框）の内部側に設けられる。戸先錠は鎌を有し開き窓、辷り出し窓を施錠する。そして、戸先錠は鎌が受けに係合した位置と、受けから開放された位置とをとるように室内側に設けた操作部材によって操作し窓を施錠又は開放可能とされる。そして、鎌が受けと係合した位置においては鎌に外力が加えられても鎌が不動であるように鎌と操作部材間にはロック機構が設けられており、操作部材側のみから施錠解錠できるように非可逆の作用を行う機構を備えている。従って、外部から、戸当り框と竪枠間に工具を差し込んで鎌を動かそうとしても鎌は不動で解錠はできない。
【０００３】
ハンドル締りは戸当り框に設けられハンドルと連動する掛金を竪枠に設けた受けと係合する位置と解放する位置とをとるように設けて、掛金と受間で見込方向の引寄せを行うと共に施錠するようにしている。
【特許文献１】なし。
【発明の開示】
【発明が解決しようとする課題】
【０００４】
ハンドル締りと戸先錠が夫々別途独立して解錠、施錠可能とすると、ハンドル締りと戸先錠が共に解錠された状態から戸先錠を先に施錠しようとするとハンドル締りによる窓の引寄せが行われていないため鎌が受けに入り難い場合がある。また、ハンドル締りと戸先錠が共に施錠されている状態から、先にハンドル締りを解錠すると窓の引寄せが解除されてしまうので戸先錠の錠と受けとがせり合って戸先錠の解錠に無理が生ずることがある。
【０００５】
本発明は開き窓、辷り出し窓におけるハンドル締りと戸先錠を備えた施錠装置において、戸先錠を先に解錠しないとハンドル締りが解錠できず、ハンドル締りを先に施錠しないと戸先錠が施錠できない施錠装置及びこの施錠装置に用いられる戸先錠を提供することにより上記課題を解決することを目的とする。
【課題を解決するための手段】
【０００６】
本出願に係る第１の発明は操作部材を操作することにより鎌が施錠位置と解錠位置とをとり、鎌側から鎌に加える外力によって操作部材を動かし得ないようにした戸先錠において、鎌が解錠位置にあるときに鎌を支持しているケースから受け側へ突出しており、鎌を施錠位置にするとケース内へ退く開時ロック部と、鎌が解錠位置にあるときにケース内に退いており、ケース内から鎌が施錠位置に移動すると鎌の移動につれて開時ロック部が突出した前後方向の位置まで前進する閉時ロック部と、を有し、前記開時ロック部と閉時ロック部は上下方向の位置が異なることを特徴とする戸先錠である。
【０００７】
本出願に係る第２の発明は板面が平行なケースと、ケースの板面に直交して板面に嵌合された鎌支持軸と、鎌支持軸に枢着され施錠されてケースから突出した位置と解錠されてケース内に収容される鎌であって、施錠状態においてスライドプレートに設けたカム作動子により非可逆に鎌が回動するようにカム作動子と係合するカム部と、ケース内に鎌が収容された際に鎌が施錠方向へ向かう方向と同方向へ突出する開時ロック部と、ケース内から鎌が施錠位置に移動すると鎌先の移動につれて開時ロック部が突出した前後方向の位置まで前進する閉時ロック部とを有する鎌と、鎌のカム部と係合するカム作動子を有し、ケースにスライド可能に設けられケース外に操作部を有し、鎌が施錠位置にあるときに一方端に位置し、鎌が解錠位置にあるときに他方端に位置するスライドプレートと、スライドプレートを付勢するばねと、を有することを特徴とする戸先錠である。  
【０００８】
本出願に係る第３の発明はばねは鎌が施錠位置となるようにスライドプレートを常に一方端に向かって付勢するばねであることを特徴とする第２の発明に記載の戸先錠である。
【０００９】
本出願に係る第４の発明はばねはスライドプレートが、一方端にあるときは鎌が施錠位置となるように一方端に向かってスライドプレートを付勢し、他方端にあるときは鎌が解錠位置となるように他方端に向かってスライドプレートを付勢し、一方端と他方端間をスライドプレートがスライドするときに死点を有することを特徴とする第２の発明に記載の戸先錠である。  
【００１０】
本出願に係る第５の発明は開き窓、辷り出し窓に用いられる施錠装置において、戸先側框に設けられ、ハンドルを閉位置にすることにより、掛金を開口枠に設けた受に係合すると共にスライドを一方端へ移動し、ハンドルを開位置にすることにより、掛金を受から解放すると共にスライドを他方端へ移動するハンドル締りと、戸先側框に設けられ、操作部材によって鎌が開口枠に設けた受けと係脱して施錠位置と解錠位置とをとる戸先錠であって、鎌が解錠位置にあるときに鎌を支持しているケースから受け側へ突出しており、鎌を施錠位置にするとケース内へ退く開時ロック部と、鎌が解錠位置にあるときにケース内に退いており、ケース内から鎌が施錠位置に移動すると鎌の移動につれて開時ロック部が突出した前後方向の位置まで前進する閉時ロック部と、を有し、前記開時ロック部と閉時ロック部は上下方向の位置が異なる戸先錠と、ハンドル締りと戸先錠の間にあってハンドル締りのスライドに結合されて戸先側框に沿って移動自在に設けられ、ハンドル締りと、戸先錠が共に解錠されている際に開時ロック部に当接して戸先錠の操作による鎌の施錠を阻止し、ハンドル締りと戸先錠が共に施錠されている際にハンドル締りを開操作しても閉時ロック部に当接してハンドル締りの解錠を阻止するためのスライドバーと、を有することを特徴とする施錠装置である。
【発明の効果】
【００１１】
本出願に係る第１の発明は解錠時には開時ロック部がケースから受け側へ突出しており、閉錠時には閉時ロック部がケースから受け側に突出しているので、戸先側框にスライドバーを備えた場合にスライドバーの運動を２様に規制することができる戸先錠を提供できる。
【００１２】
本出願に係る第２の発明によれば、上述の第１の発明の効果に加えて、施錠状態においてスライドプレートに設けたカム作動子により非可逆に鎌が回動するようにカム作動子と係合するカム部を鎌に設けたため、施錠状態において鎌に解錠方向の力を加えても解錠できない。
【００１３】
本出願に係る第３の発明によれば、第２の発明においてスライドプレートは常に一方端に付勢されているので他方端へ移動しても手を離せば施錠される。
【００１４】
本出願に係る第４の発明によれば、第２の発明において、スライドプレートが両方向端の何れか１つにあるようにばねが付勢しているので操作部から手を放していても施錠状態又は解錠状態が保たれる。
【００１５】
本出願に係る第５の発明によれば、戸先錠、ハンドル締りが共に解錠されている際には戸先錠は先に施錠出来ない。ハンドル締りを先に施錠すると障子は引寄せられ、戸先錠の鎌と受けは見込み方向で正しい関係位置となるので操作は円滑に行われる。
【００１６】
従って、戸先錠がハンドル締りよりも先に又はハンドル締りとは独立して施錠できるとすれば、障子が開いた状態で戸先錠を施錠してしまい、障子を閉めて鎌を開口枠にぶっつけたり、また、障子は閉めてあるが引寄せられていない状態で戸先錠を施錠しようとして鎌を受けにぶっつけたり、又は受けとせりあった状態で鎌を施錠して鎌又は受けを損傷させたりする。特に受けと鎌とがせり合うと操作部材から鎌を動かし得なくなる等の不都合が解消する。
【００１７】
そして、戸先錠、ハンドル締りが共に施錠されている際には、ハンドル締りは先に解錠できない。従って、ハンドル締りが解錠したから障子が開けられると思って障子を押し戸先錠の鎌と受けに無理な力を加えたりすることが防止される。そして、閉時ロック部と開時ロック部を異なる高さに設けてあるので、ハンドル締りは解錠できない範囲でハンドルを動かしてそれ以上ハンドルが回らないことにより、戸先錠の解錠を忘れたことに気づく。そして、戸先錠を先に解錠するので鎌と受けとは正常に係合を解かれる。
【００１８】
従って、ハンドル締りが戸先錠よりも先に解錠可能とすると、ハンドル締りを解錠した際に、引寄せが解除されて、戸先錠の鎌と受けとの間せり合って操作部材によって解錠できないおそれが防止される。
【発明を実施するための最良の形態】
【００１９】
最良の実施の形態の戸先錠は、操作部材であるツマミ２８を操作することにより鎌２３が施錠位置と解錠位置とをとり、鎌側から鎌２３に加える外力によって操作部材を動かし得ないようにした戸先錠２０において、
鎌２３が解錠位置にあるときに鎌２３を支持しているケース２１から受け３１側へ突出ており、鎌２３を施錠位置にするとケース２１内へ退く開時ロック部２３ａと、
鎌２３が解錠位置にあるときにケース２１内に退いており、ケース２１内から鎌２３が施錠位置に移動すると鎌２３の移動につれて、開時ロック部２３ａが突出した前後方向の位置まで前進する閉時ロック部２３ｂと、
を有し、前記開時ロック部２３ａと閉時ロック部２３ｂはケース２１から突出した状態で上下方向の位置が異なることを特徴とする戸先錠２０である。
【００２０】
また、板面が平行なケース２１と、ケース２１の板面に直交して板面に嵌合された鎌支持軸２５ｂと、鎌支持軸２５ｂに枢着され施錠されてケース２１から突出した位置と解錠されてケース２１内に収容される鎌２３であって、施錠状態においてスライドプレート２２に設けたカム作動子２２ｂにより非可逆に鎌２３が回動するようにカム作動子２２ｂと係合するカム部２３ｃと、ケース２１内に鎌２３が収容された際に鎌２３が施錠方向へ向かう方向と同方向へ突出する開時ロック部２３ａと、ケース２１内から鎌２３が施錠位置に移動すると鎌先の移動につれて開時ロック部２３ａが突出した前後方向の位置まで前進する閉時ロック部２３ｂとを有する鎌２３と、
鎌２３のカム部２３ｃと係合するカム作動子２２ｂを有し、ケース２１にスライド可能に設けられケース２１外に操作部を有し、鎌２３が施錠位置にあるときに一方端に位置し、鎌２３が解錠位置にあるときに他方端に位置するスライドプレート２２と、
スライドプレート２２を付勢するばね２４と、
を有する戸先錠である。  
【００２１】
上記において、ばね２４は鎌２３が施錠位置となるようにスライドプレート２２を常に一方端に向かって付勢するばねである。
【００２２】
上記において、ばね２４はスライドプレート２２が、一方端にあるときは鎌２３が施錠位置となるように一方端に向かってスライドプレート２２を付勢し、他方端にあるときは鎌２３が解錠位置となるように他方端に向かってスライドプレート２２を付勢し、一方端と他方端間をスライドプレート２２がスライドするときに死点を有する。  
【００２３】
最良の実施の形態の施錠装置は、開き窓、辷り出し窓に用いられる施錠装置において、
戸先側框１ｄに設けられ、ハンドル６１を閉位置にすることにより、掛金４８を受５４に係合すると共にスライド４３を一方端へ移動し、ハンドル６１を開位置にすることにより、掛金４８を受５４から解放すると共にスライド４３を他方端へ移動するハンドル締り４０と、
戸先側框１ｄに設けられ、操作部材によって鎌が開口枠に設けた受けと係脱して施錠位置と解錠位置とをとる戸先錠であって、
鎌２３が解錠位置にあるときに鎌２３を支持しているケース２１から受け３１側へ突出ており、鎌２３を施錠位置にするとケース２１内へ退く開時ロック部２３ａと、
鎌２３が解錠位置にあるときにケース２１内に退いており、ケース２１内から鎌２３が施錠位置に移動すると鎌２３の移動につれて開時ロック部２３ａが突出した前後方向の位置まで前進する閉時ロック部２３ｂと、
を有し、前記開時ロック部２３ａと閉時ロック部２３ｂはケース２１から突出した際の上下方向の位置が異なる戸先錠２０と、
ハンドル締り４０と戸先錠２０の間にあってハンドル締り４０に結合されて戸先側框１ｄに沿って移動自在に設けられ、ハンドル締り４０と、戸先錠２０が共に解錠されている際に開時ロック部２３ａに当接して戸先錠２０の操作による鎌２３の施錠を阻止し、
ハンドル締４０と戸先錠２０が共に施錠されている際にハンドル締り４０を開操作しても閉時ロック部２３ｂに当接してハンドル締り４０の解錠を阻止するためのスライドバー７０と、
を有する施錠装置である。
【実施例】
【００２４】
以下、本発明の実施例を図面に基いて説明する。
【００２５】
（サッシ構成）
図１は開き窓を内部側より見る正面図、図２は図１のＡ−Ａ拡大断面図、図３は図１のＢ−Ｂ拡大断面図、図４は図１のＣ−Ｃ拡大断面図である。
【００２６】
この開き窓は外開きの障子１を開口枠２に横開きに設けたものである。
【００２７】
開口枠２には外部側に向って開く条溝２ａが囲繞する形で配置されている。条溝２ａにはパッキン３が設けられている。パッキン３は障子１の四方組みした上框１ａ、下框１ｂ、吊元側竪框１ｃ、戸先側竪框１ｄ、の内側面に接して気密を保っている。このパッキン３に後述するハンドル締りの作用で上記框１ａ〜１ｄが引寄せにより圧せられるようになっている。
【００２８】
また障子１の上框１ａ、竪框１ｃ，１ｄに設けられた条溝１ｅにはパッキン４が設けられ、開口枠２の上枠２ｂ、竪枠２ｃに設けた突条２ｆ，２ｇに接している。
【００２９】
竪框１ｃの上下はヒンジ５により竪枠２ｃに支持されており、障子１は外側へ向って横開きする。
【００３０】
ガラス６はグレージングビード７とパッキン８で四辺が挾持されてガラス溝１ｈ，１ｉに取り付けてある。下框１ｂのガラス溝１ｈの底に載置したガラス枕９によりガラス６は下端が支持されている。ガラス６の左右の両端はガラス溝１ｉの底に着座する支え１１により支持されている。上框１ａ、竪框１ｃ，１ｄの各係止突条１ｊ，１ｋにはアタッチ材１２の係止突条１２ａ，１２ｂが係止されてアタッチ材１２で上框１ａ、竪框１ｃ，１ｄに対応するグレージングビート７とパッキン８を押圧してガラス６を保持している。
【００３１】
竪框１ｄにはハンドル締り、戸先錠が設けてある。図１に示すように本例ではハンドル締り４０は上部に、戸先錠２０は下部に設けてある。ただし、ハンドル締り４０を下部に戸先錠２０を上部に設けてもよい。
【００３２】
戸先側竪框１ｄは先端が互に対向する鍵形の突条１ｆにより上下方向のガイド条溝１ｍが設けてある。
【００３３】
戸先側竪框１ｄはガラス溝１ｉを設ける側と条溝１ｅ、ガイド条溝１ｍを設ける側は断面方形の中空部１ｎをなす対辺となっている。この中空部１ｎを設ける各辺の内側には突条１ｏ，１ｏ，１ｐが設けてある。
【００３４】
（戸先錠）
図５，図６は戸先錠２０を内部側より見る側面図、図７は図６の平面図、図８は図５の正面図、図９は図５の背面図である。図５は鎌２３が解錠位置にある状態を示す。図６は鎌２３が施錠位置にある状態を示す。
戸先錠２０は鎌２３が解錠した際に、鎌２３が施錠位置へ向う方向と同方向へ突出する開時ロック部２３ａを有する。この開時ロック部２３ａは鎌２３が施錠位置にあるときの閉時ロック部２３ｂの直下の位置にある。
【００３５】
開時ロック部２３ａ、閉時ロック部２３ｂは上面が後述するスライドバーが当接する当接面となる。
【００３６】
この戸先錠２０は、板面が平行な平板部２１ａ，２１ｂを有するケース２１と、ケース２１の平板部２１ａ，２１ｂの板面に直交して板面に嵌合された鎌支持軸２５ｂと、鎌支持軸２５ｂに枢着され、施錠されてケース２１から突出した位置と解錠されてケース２１内に収容される鎌２３であって、スライドプレート２２に設けたカム作動子２２ｂにより施錠状態では非可逆に鎌２３が回動するようにカム作動子２２ｂと係合するカム溝２３ｃと、ケース２１内に鎌２３が収容された際に鎌２３が施錠方向ヘ向う方向と同方向へケース２１外へ突出する開時ロック部２３ａと、ケース２１内から鎌２３が施錠位置に移動すると鎌先２３ｅの移動につれて開時ロック部２３ａがケース２１外へ突出した前後方向の位置まで前進する閉時ロック部２３ｂとを有する鎌２３と、鎌２３のカム溝２３ｃと係合するカム作動子２２ｂを有し、ケース２１にスライド可能に設けられケース２１外に操作部としてツマミ２８を有し、鎌２３が施錠位置にあるときに上下方向の一方端に位置し、鎌２３が解錠位置にあるときに上下方向の他方端に位置するスライドプレート２２と、スライドプレート２２を付勢するばね２４と、を有する。
【００３７】
ここで、ばね２４は鎌２３が施錠位置となるようにスライドプレート２２を常に一方端の上方に向って付勢するばねである。又は、ばね２４はスライドプレート２２が、一方端の上方にあるときは鎌２３が施錠位置となるように上方に向ってスライドプレート２２を付勢し、他方端の下方にあるときは鎌２３が解錠位置となるように下方に向ってスライドプレート２２を付勢し、一方端と他方端間のスライド２２がスライドするとき死点を有する。
【００３８】
図８は図５を左方より見る図であって、戸先錠２０の正面（鎌が向ってくる方向）図である。図９は図５の右方より見る図であって戸先錠２０の背面図である。図１０は戸先錠２０の外部側より見る側面図である。
【００３９】
ケース２１は平行な同形状の平板部２１ａ，２１ｂを有する。そして、平板部２１ａ，２１ｂの鎌２３が出入する一辺側は上下の両端部が前板２１ｃ，２１ｃで連続している。上下の前板２１ｃ，２１ｃ間は開口２１ｄとなっている。ケース２１の背部は平板部２１ａ，２１ｂの他辺側に開口２１ｋが設けてあるが、平板部２１ａ，２１ｂの背部の辺のすぐ外側にはケース２１の背部から見ると対向してストッパ２１ｅが開口２１ｋへ突出するように設けてある。ストッパ２１ｅは平板部２１ａ，２１ｂと一体で平板部２１ａ，２１ｂの縁で折り曲げてある。ケース２１を戸先側竪框１ｄに取り付けるためのフランジ２１ｆが前板２１ｃ，２１ｃを夫々上下方向外側へ延長して設けてある。フランジ２１ｆには取付穴２１ｇが夫々設けられている。
図５に示すようにケース２１の平板部２１ａ，２１ｂには背部（他辺側）に方形の切り込み２１ｈ（図１０において左方から右方への切り込み）が設けてある。平板部２１ａ，２１ｂ共に同一位置に夫々切り込み２１ｈを設けてあるのは戸先錠２０を勝手違いに構成できるようにしてあるためである。本例では平板部２１ａの切り込み２１ｈのみが用いられる。以下、切り込み２１ｈという場合平板部２１ａに設けた切り込みを指す。
【００４０】
図５に示すように平板部２１ａには上下方向のガイド溝２１ｉが設けてある。平板部２１ａ，２１ｂの同一位置に夫々ガイド溝２１ｉを設けてあるのは戸先錠２０を勝手違いに構成できるようにしてあるためである。以下、ガイド溝２１ｉという場合平板部２１ａに設けたガイド溝を指す。
【００４１】
図１０に示すように平板部２１ｂには上下方向のガイド溝２１ｊが設けてある。平板部２１ａ，２１ｂ共に同一位置にガイド溝２１ｊを設けてあるのは戸先錠２０を勝手違いに構成できるようにするためである。以下、ガイド溝２１ｊというときは平板部２１ｂに設けたガイド溝を指す。
【００４２】
平板部２１ａと２１ｂ間の上下方向は開放されている。
【００４３】
図１１はケース２１の平板部２１ａを除去し、更に鎌２３を取り外して見る図である。
【００４４】
ケース２１内にほぼ納まるように上下動自在なスライドプレート２２が設けてある。
【００４５】
スライドプレート２２はケース２１の平板部２１ｂの内側面に沿って上下方向に摺動するスライド板部２２ａを有する。スライド板部２２ａは図１１に示すようにほぼＵ字形である。ケース２１の平板部２１ａ，２１ｂ間には丁度スライド板部２２ａと鎌２３が夫々板面方向に摺動可能に収容されている。スライド板部２２ａには図５に示すようにケース２１の平板部２１ａに設けた上下方向に長いガイド溝２１ｉに嵌合して上下方向に案内されガイド片を重ねるカム作動子２２ｂと、図１０に示すようにケース２１の平板部２１ｂに設けた上下方向に長いガイド溝２１ｊに嵌合して上下方向に案内されるガイド片２２ｃを有する。
【００４６】
カム作動子２２ｂは図５、図１１ではスライド板部２２ａの左上から屈曲して平板部２１ａに向って立上っている。ガイド片２２ｃはスライド板部２２ａの下部から屈曲して立上りすぐ平板部２１ｂのガイド溝２１ｊに嵌合している。即ち、カム作動子２２ｂとガイド片２２ｃはスライド板部２２ａの板面の互いに反対側に突出している。
【００４７】
図９、図１１に示すスライド板部２２ａの上端の突起はばね掛け２２ｄである。スライド板部２２ａの下方は幅がせまくなっており、内部側（平板２１ａ側）へクランク状にオフセットしてアーム部２２ｅの先に操作部材である操作ツマミ２８（図５、図６、図７参照以下、単にツマミという場合もある）の取付部２２ｆとなっている。
【００４８】
２２ｇは取付部２２ｆを貫通して設けためねじであってツマミ２８の小ねじ用穴２８ａを挿通する小ねじ２９（図７参照）がねじ込まれてツマミ２８が取付部２２ｆに固定されている。図９に示すように、アーム部２２ｅはケース２１の切り込み２１ｈに嵌まっていて、切り込み２１ｈ中を移動するようになっている。スライドプレート２２が上下動する際はカム作動子２２ｂがガイド溝２２ｉに嵌合して、また、ガイド片２２ｃがガイド溝２１ｊに嵌合して上下方向のみに直線運動をするように規制される。
【００４９】
図８、図１１に示すように鎌支持軸２５ｂにはワッシャ２６が嵌合している。ワッシャ２６は平板部２１ｂと鎌２３の間に挿入されていて鎌２３が板面に直角方向に移動するのを規制している。図１１に示すように、スライドプレート２２にはスライドプレート２２が上下動するときにワッシャ２６の外周と摺擦可能に上下方向の竪溝２２ｈが設けてある。
【００５０】
ばね掛け軸２５ａはケース２１の平板部２１ａ，２１ｂに直角方向に設けられて両端がケース２１の平板部２１ａ，２１ｂに支持される。
【００５１】
（ばねとスライドプレートの関係）
ばね２４は巻きばねで両端部が夫々ばね掛け軸２５ａとスライドプレート２２のばね掛け２２ｄに巻き付けられている。この巻きばねは両端部が夫々遠のく方向に付勢されている。そして、ばね２４は、ばね掛け２２ｄが上下方向に移動して、ばね掛け軸２５ａの真横にきたときにばね掛け軸２５ａとばね掛け２２ｄとが接近してばね力は最も強くなる。
このときスライドプレート２２はばね力でその運動方向と直角方向に力を加えられているのでスライドプレート２２はばね力で移動しない。即ち、死点である。
【００５２】
図１１においてツマミ２８を用いてスライドプレート２２を上昇するとスライドプレート２２は、カム作動子２２ｂがケース２１の平板部２１ａのガイド溝２１ｉに、ガイド片２２ｃがケース２１の平板部２１ｂのガイド溝２１ｊに、竪溝２２ｈがワッシャ２６に夫々案内される。そして、図１１の位置からスライドプレート２２が上昇するときスライドプレート２２はばね２４のばね力による死点までは該ばね力が抗して死点をとおり過ぎると該ばね２４のばね力が上方へ力を加える。そして、カム作動子２２ｂがガイド溝２１ｉの上端に、ガイド片２２ｃがガイド溝２１ｊの上端の何れか、又は両者が当設してスライドプレート２２はばね２４のばね力で上方へ向って付勢された状態で停止して図６の状態となる。
【００５３】
図６のスライドプレート２２が上昇した状態からツマミ２８をばね２４のばね力に抗して押し下げると、スライドプレート２２はカム作動子２２ｂがガイド溝２２ｉに、ガイド片２２ｃがガイド溝２２ｊに、竪溝２２ｈがワッシャ２６に夫々案内されて下降する。そして、ばね掛け２２ｄが死点をすぎるとばね２４のばね力でスライドプレート２２は下方へ付勢される。そして、カム作動子２２ｂがガイド溝２１ｉの下端に、ガイド片２２ｃがガイド溝２１ｊの下端の何れか又は両者に当接してスライドプレート２２はばね２４のばね力で下方へ向って付勢された状態で停止して図１１の状態となる。
【００５４】
上記のばね２４のばね力はスライドプレート２２の移動限度位置でばね力が最も小さいときにスライドプレート２２及び、連動する鎌２３の摺動抵抗とほぼ釣合うか、ばね力がやや上回る程度としてある。
【００５５】
なお、ここで鎌２３が受け３１に入る方向に常にばね力が加わるようにばね２４を変えてもよい。この場合、スライドプレート２２の上下動の際に死点はなく、スライドプレート２２を常に上方へ付勢するようにする。この場合のばね２４はばね掛け軸２５ａにばね力を生ずるための巻回部分を挿入すると共にばねの一端を上部の前板２１ｃで支持し、ばねの他端でスライドプレート２２のばね掛け２２ｄを上方へ向って圧するようにする（図示されない）。
【００５６】
図１１においてスライドプレート２２の上に重ねて鎌２３を組付けたものが図１２である。図１２において鎌２３は鎌穴２３ｄが鎌支持軸２５ｂに回転自在に嵌合し、カム溝２３ｃがカム作動子２２ｂに嵌まり込んでいる。ここで鎌支持軸２５ｂは平板部２１ａ，２１ｂに両端が固定されている。鎌２３は図２３に示すようにケース２１に収容された状態ではケース２１の前面から開時ロック部２３ａが突出している。
【００５７】
そして、鎌２３が図１２の状態から鎌支持軸２５ｂを中心にして時計回りに９０度回転すると鎌先２３ｅは図６に示す受け３１の上下方向に長いスリット３１ａを通じてトロカバー３２へ進入し施錠される。鎌２３が施錠されると、開時ロック部２３ａがケース２１内へ退き、代りに鎌先２３ｅよりも根本側に設けた閉時ロック部２３ｂがケース前面の開口２１ｄから突出する。
【００５８】
図１２において、カム作動子２２ｂが嵌入しているカム溝２３ｃは口部がほぼ水平方向で奥側は斜設してある。斜設部を２等分する２等分線２３ｋは鎌支持軸２５ｂの中心をとおっている。このカム溝２３ｃを構成する上側の面の斜面部２３ｃ２が鎌２３が施錠方向に回転するときにカム作動子２２ｂに押されてカム作動子２２ｂと摺動する。そして、ロック面２３ｃ１は鎌２３が施錠された際にカム作動子２２ｂのロック面２２ｂ１と接するようになっている。カム作動子２２ｂは図１２に示すように方形である。カム溝２３ｃを構成する下側の面の斜面部２３ｃ３が鎌２３が解錠方向に回転するときにカム作動子２２ｂに押されてカム作動子２２ｂと摺動する。
【００５９】
図６の２３ｍは鎌２３が鎌支持軸２５ｂを中心に時計回りに回転した際にケース２１のストッパ２１ｅの上面に当接するストッパであって、ストッパ２１ｅ，２３ｍでもって鎌２３の時計回りの回転限度位置を定めてある。
【００６０】
図５の２３ｆは鎌２３が鎌支持軸２５ｂを中心に反時計回りに回転した際にケース２１のストッパ２１ｅの下面に当接するストッパであって、ストッパ２１ｅ，２３ｆでもって鎌２３の反時計回りの回転限度位置を定めてある。
【００６１】
（スライドプレートと鎌との関係）
次にカム作動子２２ｂとカム溝２３ｃの係合による鎌２３の作用を説明する。図１２はスライドプレート２２が下降限度位置、鎌２３が解錠位置にある状態を示してある。
【００６２】
図１２において、スライドプレート２２が上昇すると、スライドプレート２２のカム作動子２２ｂは上昇する。カム作動子２２ｂが図１２の位置から上昇するとカム作動子２２ｂはその右下角がカム溝２３ｃの下側の斜面部２３ｃ３から離れてカム溝２３ｃの上側へ向いロック面２３ｃ１に当る。つづく上昇でカム作動子２２ｂは、鎌２３をカム支持軸２５ｂを中心にして時計回りに回転させカム溝２３ｃの図１２においては上側の口部のロック面２３ｃ１と上側の斜面部２３ｃ２が交叉する角に当る。カム作動子２２ｂの上昇につれてカム作動子２２ｂに対してカム溝２３ｃが進入してカム作動子２２ｂの左上角と上側の斜面部２３ｃ２とが摺動する。そして、鎌２３が鎌支持軸２５ｂを中心にして時計回りに回るので、カム作動子２２ｂの上側の面２２ｂ２が図１３に示すように全面で上側の斜面部２３ｃ２と接触する。同時に、開時ロック部２３ａはケース２１内へ半ば引き込む。また、閉時ロック部２３ｂがケース２１から前方へ出る。このとき上側の斜面部２３ｃ２はほぼ水平方向を向いている。続いてカム作動子２２ｂが上昇すると上側の斜面部２３ｃ２はカム作動子２２ｂに対してカム溝２３ｃのカム作動子２２ｂへの進入深さが減少する方向に滑り、鎌２３は更に鎌支持軸２５ｂを中心にして時計回りに回転する。
【００６３】
図１３から図１４に示すように鎌２３が時計回りに回転すると、半ばケース２１内へ退いた開時ロック部２３ａはケース２１内に完全に退く。
【００６４】
図１４に示すように、スライドプレート２２が移動の上限位置に近づくと、カム作動子２２ｂに対してカム溝２３ｃは退き、上側の斜面部２３ｃ２はカム作動子２２ｂの右上角をカム作動子２２ｂに対して相対的に右下方へ摺動して、上側の斜面部２３ｃ２とロック面２３ｃ１との間の角に近ずく。
【００６５】
更にカム作動子２２ｂが上昇すると図１５に２点鎖線で示すようにカム作動子２２ｂの右上角と斜面部２３ｃ２とロック面２３ｃ１との間の角とが一致する。鎌２３のロック面２３ｃ１は垂直方向を向いている。更に、カム作動子２２ｂは上昇して垂直となったロック面２３ｃ１を摺動して上昇し、スライドプレート２２が上限の移動限度まで上昇して停止し、カム作動子２２ｂはロック面２３ｃ１と当接した状態で停止する。このとき、閉時ロック部２３ｂはケース２１から前方へ突出した所定位置となっている。そして、鎌２３に設けたストッパ２３ｍがケース２１のストッパ２１ｅ（図６参照）に当り鎌２３はそれ以上の時計回りの回転は阻止される。
【００６６】
図１５において鎌２３に解錠方向（反時計回り）の力を加えると鎌のロック面２３ｃ１は左行しようとするがカム作動子２２ｂのロック面２２ｂ１に当接しているのでカム作動子２２ｂを左方へ押す。しかし、スライドプレート２２はガイド溝２１ｉ，２１ｊ等により案内されて上下方向にしか移動出来ず、カム作動子２２ｂは左行できない。カム作動子２２ｂに加えられる左方向の力はカム作動子２２ｂがガイド溝２１ｉに当ることにより受ける。従って、ロック状態では鎌２３とケース２１間にカム作動子２２ｂがあるだけなので鎌２３とケース２１に強度剛性があればよいのでカム作動子２２ｂは小さくてもよく、このロック状態は外力に対しても剛に抗する。
【００６７】
鎌２３が受け３１に係合している図６、図１５（図１５では受けは図略）から解錠するにはツマミ２８を下方へ引く。ツマミ２８を下方へ引くとスライドプレート２２は図１５のようにカム作動子２２ｂのロック面２２ｂ１が鎌２３のロック面２３ｃ１に当接している状態から、ロック面２３ｃ１に沿ってカム作動子２２ｂは下り、図１５に二点鎖線で示す位置に来る。カム作動子２２ｂがこのように降下する間は鎌２３はロック状態で不動である。
【００６８】
図１５の二点鎖線で示す位置からカム作動子２２ｂが下ると、カム作動子２２ｂはカム溝２３ｃを下方へ横切って移動し、図１５においてカム溝２３ｃを構成する下側の斜面部２３ｃ３に当る。この当る部分はカム作動子２２ｂの左下の角である。ここまでにおいて鎌２３は静止したままである。更に、カム作動子２２ｂが下ると、図１６に示すようにカム溝２３ｃはカム作動子２２ｂに入り込んで行く。このとき下側の斜面部２３ｃ３はカム作動子２２ｂの左下角を滑る。同時に鎌２３は鎌支持軸２５ｂを中心にして反時計回りに回転する。そして、閉時ロック部２３ｂは一旦ケース２１から前方へ遠のく。
【００６９】
図１６の位置からカム作動子２２ｂが下ると斜面部２３ｃ３はカム作動子２２ｂと摺動してカム溝２３ｃの奥側がカム作動子２２ｂに向って進む形となる。そして鎌２３はカム支持軸２５ｂを中心にして反時計回りに回転する。
【００７０】
図１７に示すようにカム作動子２２ｂが図１６の位置から下ると鎌２３が鎌支持軸２５ｂを中心にして反時計回りに回転して下側の斜面部２３ｃ３が水平となる。そこでカム作動子２２ｂの下面と、カム溝２３ｃの斜面部２３ｃ３が面接触する。このとき開時ロック部２３ａはケース２１から少し出る。
図１７からカム作動子２２ｂが下るとカム作動子２２ｂに押されて鎌２３は鎌支持軸２５ｂを中心にして反時計回りに回転し、カム作動子２２ｂの右下角と下側の斜面部２３ｃ３とが摺動してカム作動子２２ｂに対してカム溝２３ｃは奥から口部へ向ってカム作動子２２ｂに対する入り込みを浅くする方向に移動する形となる。このとき、開時ロック部２３ａはケース２１の前側へ更に出る。
【００７１】
図５、図１８はかくして、スライドプレート２２が下降限度位置に下り、鎌のストッパ２３ｆはケース２１のストッパ２１ｅの下面に当る。
【００７２】
図１７から図１８へ鎌２３が鎌支持軸２５ｂを中心にして反時計回りに回る際に、鎌先２３ｅ、閉時ロック部２３ｂはケース２１内に退き、開時ロック部２３ａのみがケース２１の前面で所定位置へ突出している。
【００７３】
（（ハンドル締り））
図１９はハンドル締り４０の内部を内部側（室内側）より見る正面図、図２０はハンドル締りと受けの関係を示す水平断面図、図２１は掛金とスライドの関係を示す内部側より見る正面図である。
【００７４】
ケース４１は竪長の中空直方体であって上下に取付フランジ４１ａを有する。取付フランジ４１ａには戸先側竪框１ｄに取り付けるための小ねじ４２を挿通する小ねじ用穴４１ｂが設けてある。ケース４１の図１９において左側は開放されている。
【００７５】
ケース４１の外部側の側板４１ｃの内側面に沿って上下動可能にスライド４３が設けてある。スライド４３には上下方向に長いガイド溝４３ａが設けてある。ガイド溝４３ａにはスライド４３の上下動をガイドするガイドピン４４，４５が嵌入している。ガイドピン４４，４５はケース４１の側板４１ｃ又は側板４１ｃと側板４１ｃに対向する側板４１ｄ（図２０参照）の両者に固定されてケース４１内にある。
【００７６】
スライド４３には一体にばね座４３ｃが設けてある。ばね座４３ｃとケース４１の天板４１ｅの間にはばね４６が縮設され、そのばね力でスライド４３を常に下方へ付勢している。ここでばね４６は圧縮コイルばねである。ばね座４３ｃ及びばね４６はケース４１に固定したばねケース４７で蔽われている。ばねケース４７の下端４７ａはスライド４３が下降した際にばね座４３ｃの下降を阻止する。
【００７７】
スライド４３にはスタッド４９が植設されている。図に示すようにスタッド４９は円筒形のピン状である。スタッド４９には図２１に示すように掛金４８の長穴４８ａが嵌合している。掛金４８は先端のカム部４８ｂと他端部に設けた長穴４８ａの中間で前述したスライド４３をガイドするピン４５に回転自在に嵌合している。このピン４５はケース４１の両側板４１ｃ，４１ｄに強固に固定されている。
【００７８】
図１９に示すように、スタッド４９に一端の丸穴５１ａが回転可能に嵌合している連桿５１の他端はレバー５２の先端とピン５３でもって連結されている。連桿５１とレバー５２はピン５３を中心に相対的に回転可能である。レバー５２の根本軸部５２ａはケース４１の側板４１ｃ，４１ｄに回転自在に且つ軸方向に移動しないように取り付けられている。根本軸部５２ａは端面が外部に対して開放されており、根本軸部５２ａはケース４１の内部側の側板４１ｄの開口部（不図示）において露出している。根本軸部５２ａの一端面側には図1９に示すように角穴５２ｂが設けてある。
【００７９】
スライド４３は前部が屈折して図１９、図２１に示すように紙面に直角な板面のスライドバー取付部４３ｂが設けてある。スライドバー取付部４３ｂには後述するスライドバーを固定するためにめねじ４３ｄが設けてある。
【００８０】
掛金４８は板状で図１９、図２１の紙面に平行な表裏の面を持つ平板だが先端にカム部４８ｂを有する。このカム部４８ｂは図１９、図２１において、掛金４８が図示点線位置の解錠位置からガイドピン４５を中心にして反時計回りに回転する方向の前に進む側に設けた傾斜面を有する。この傾斜面は掛金４８の板面に対して浅い角度で交叉している。したがって図１９、図２０に示すように受５４の受面５４ａに掛金４８のカム部４８ｂの端側が接した後は、掛金４８の先端は受５４へ進入するにつれて下方に移動する。
【００８１】
（ハンドル締りの作用）
図１９における実線は掛金４８が受５４と係合して施錠されている状態を示している。図1９において根本軸部５２ａを反時計回りに回転するとレバー５２はピン５３を伴って同軸部５２ａを中心にして反時計回りに回転する。ピン５３は連桿５１の図１９の下端を左下方へ引くと共に上端はスタッド４９を下方へ引くのでスライド４３は長穴のガイド溝４３ａがガイドピン４４，４５にガイドされて且つ、ばね４６のばね力で助勢され乍下方へ滑り下る。同時にスタッド４９は掛金４８の長穴４８ａを下方へ押す。長穴４８ａはスタッド４９に対して滑り、掛金４８はガイドピン４５を中心に時計回りに回転し、受５４の受面５４ａから外れる。この際、障子１はパッキン３の弾力で外部側へ少しく移動する。即ち、引寄せの解除となる。
【００８２】
かくして、根本軸部５２ａが反時計回りに約９０度回転すると、レバー５２、ピン５３、連桿５１、スタッド４９、掛金４８は図に点線で示した位置となる。
【００８３】
図１９において掛金４８が点線の解錠位置にある状態で根本軸部５２ａを時計回りに回転するとレバー５２は根本軸部５２ａを中心にして時計回りに回転する。これによってピン５３は連桿５１を右上方へ押し上げる。スタッド４９は上昇し、スライド４３は上昇してばね４６を圧縮する。スタッド４９は掛金４８をガイドピン４５を中心に反時計回りに回転させる。掛金のカム部４８ｂが受５４の受面５４ａに接触して受５４内へ進入するにつれて、掛金４８は図１９において下方へ押されるので、障子１は引き寄せられパッキン３は圧縮される。
【００８４】
（（ハンドル締り））
図２２はハンドル締りを示す。ハンドル締り６０はハンドル６１の軸部６１ａが台座６２の軸受面６２ａで回転自在に支持されている。また、台座６２の裏面には角形の裏板６５が嵌め込まれている。そして、裏板６５に接するリング状のスペーサー６４が軸部６１ａの先端にゆるく嵌め込まれて、軸部６１ａの先端をかしめ６１ｂによりスペーサー６４を拘束している。
【００８５】
軸部６１ａの中心の角穴には断面が四角形の角軸６７が嵌合している。ハンドル６１には、軸部６１ａを中心に円弧状の溝６１ｃが設けてある。この溝６１ｃには台座６２に設けた突起状のスットパ６２ｂが嵌合している。従って、ハンドル６１の軸部６１ａが軸受面６２ａ回りで回転すると溝６１ｃも回り、溝６１ｃの両端で溝６１ｃがスットパ６２ｂに当りハンドル６１は回転を制約される。本例ではハンドル６１の回転角は９０度である。軸部６１ａには角軸部６１ｄが設けられている。両端が台座６２に板面に交叉方向には不動に拘束された板ばね６６の中間は断面が四角形の角軸部６１ｄの面に弾力で接している。従って、ハンドル６１は回転限度の両端の夫々に向って付勢され、ハンドル６１の回転の中間に死点を有する。角軸６７はハンドル締り４０の角穴５２ｂに嵌合する。
【００８６】
（（施錠装置のサッシへの納まり））
（戸先錠の納まり）
図６、図７に示すように戸先側竪框１ｄの中空部１ｎに裏板１３を入れる。裏板１３は障子１の組立前に竪框１ｄ端部から挿入できる。裏板１３を竪框１ｄに固定するには条溝１ｅの底の図示されない穴を挿通して図示されない小ねじを裏板１３のめねじ１３ａにねじ込む。ガイド条溝１ｍの底及び裏板１３には図９においてツマミ２８を除いて、戸先錠２０が入る上下方向の長穴１ｑ，１３ｂがあいている。長穴１３ｂは丁度平板部２１ａ，２１ｂが入る上下方向の大きさを有し、長穴１ｑは上下のフランジ２１ｆを含めて入る大きさである。
【００８７】
この長穴１ｑ，１３ｂに戸先錠２０を入れてフランジ２１ｆを裏板１３に当接し、フランジ２１ｆの取付穴２１ｇを挿通して裏板１３のめねじ１３ｃに小ねじ２７をねじ込む。これによって戸先錠２０は裏板１３を介して戸先側竪框１ｄに固定される。
【００８８】
戸先錠２０が竪框１ｄに固定された後に、竪框１ｄの内側材１ｒに設けられた上下方向の長穴１ｓ（図７参照）にツマミ２８を挿入し、ツマミ取付部２２ｆにツマミ２８を当ててツマミ２８の小ねじ用穴２８ａを挿通してツマミ取付部２２ｆのめねじ２２ｇに小ねじ２９をねじ込み、ツマミ２８をスライドプレート２２に固定する。小ねじ用穴２８ａをかくすように操作シール３０を貼りつける。
【００８９】
これによって戸先錠２０はツマミ２８を上昇すると鎌２３が竪框１ｄから突出し、ツマミ２８を下降すると鎌２３が竪框１ｄ内へ収納される。鎌２３が竪框１ｄ外へ突出した状態では閉時ロック部２３ｂがガイド条溝１ｍ内に突出し、開時ロック部２３ａは竪框１ｄ内にある。鎌２３が竪框１ｄ内へ収納されると開時ロック部２３ａがガイド条溝１ｍ内に突出し、閉時ロック部２３ｂは竪框１ｄ中にある。
【００９０】
図６、図７に示すように戸先錠２０の受け３１を取り付けるには開口枠２の締り側の竪枠２ｃの周面材２ｄに裏板１４を予め固定しておく。この固定は周面材２ｄに設けた図示されない小ねじ用穴を挿通して図示されない小ねじを裏板１４のめねじ１４ａにねじ込むことによる。
【００９１】
受け３１が締り側竪枠２ｃに固定された状態でトロカバー３２のフランジ３２ａに受け３１を重ね、両者の小ねじ用穴３１ｂ，３２ｂを挿通して小ねじ３３を裏板１４に設けためねじ１４ｂにねじ込む。
【００９２】
受け３１の取付位置は鎌２３の鎌先２３ｅがスリット３１ａからトロカバー３２内に入り、鎌２３が受け３１に引っかかる位置である。
【００９３】
（ハンドル締りの納まり）
ハンドル締り４０は、戸先錠２０の上方において、戸先側竪框１ｄに取り付ける。
【００９４】
図１９、図２０に示すように取り付ける。このときスライドバー取付部４３ｂの面はスライドバー７０の面と一致する位置にある。
【００９５】
受５４はステンレス製板材をプレスして作られた本体５４ｂにナイロン（商品名）のカバー部５４ｃで一体成形したものである。受５４は締り側竪枠２ｃの周面材２ｄの上下方向に長い長穴２ｅにカバー部５４ｃを挿入して上下のフランジ５４ｅの小ねじ用穴５４ｆを挿通して小ねじ５５を締り側竪枠２ｃの周面材２ｄにねじ込み固定してある。
【００９６】
ハンドル締り４０が戸先側竪框１ｄに固定された後は、スライドバー７０を該竪框１ｄのガイド条溝１ｍに挿入する。
【００９７】
この組立時、掛金４８はケース４１内に収容した状態にしてスライドバー７０が掛金４８に当らないようにしておく。スライドバー７０には上下方向の長穴７０ａが設けられていて、掛金４８とスライドバー７０が運動する際に両者が干渉しないようになっている。
【００９８】
スライドバー７０とスライド４３の取付部４３ｂを重ねてスライドバー７０の小ねじ用穴７０ｂを挿通して小ねじ７１を取付部４３ｂのめねじ４３ｄにねじ込み、スライドバー７０とスライド４３は固定されている。従って、スライド４３が上下動するスライバー７０は一体的に上下動する。
【００９９】
（スライドバーの位置）
スライドバー７０はハンドル締り４０から下方へのびている。そして、スライド４３が下降した限度位置、即ち、受５４と掛金４８が解錠されているとき、スライドバー７０は下降限度位置にある。そして、戸先錠２０の鎌２３が竪框１ｃに引き込んだ状態にあって、ガイド条溝１ｍ中の所定位置にある開時ロック部２３ａにスライドバー７０の下端は一致している。
【０１００】
（ハンドル締りの納まり）
ハンドル締り６０は戸先側竪框１ｄの中空部１ｎを構成している内側材１ｒに設けた図示されない穴を挿通して角軸６７をハンドル締り４０の角穴５２ｂに嵌入して、台座６２を内側材１ｒに当接した状態で内側材１ｒの裏面に当接した図示されない裏板に設けためねじに、台座６２の取付穴６２ｃ及び図２２には図示されない内側板１ｒを挿通して図示されない小ねじをねじ込み固定する。
【０１０１】
このとき、ハンドル６１が垂下した位置では掛金４８が受５４に係合した位置となっている。
【０１０２】
ハンドル締り４０が解錠状態のとき、スライドバー７０は下降限度位置にある。このとき、スライドバー７０に力を加えて上昇させようとすると、スライド４３に設けたスタッド４９は連桿５１を介してレバー５２の先端を上方へ引くがハンドル締り６０は板ばね６６で解錠位置を保持している。また、ハンドル締り４０はばね４６でスライド４３を下方へ押しているため、スライドバー７０は大きな抵抗を受けるようになっている。レバー５２とハンドル６１の長さの比が大きいのでハンドル６１を回動してスライドバー７０を上下動させる際のハンドル６１に加える操作力は大きくない。
【０１０３】
（（施錠装置の動作））
図２３から図２９は上側にハンドル６１を位置するようにしてハンドル締り４０を設け、下側に戸先錠２０を設けた戸先側竪框１ｄを見付方向から見る正面図である。なお図の上部に竪框１ｄの断面を示す。
【０１０４】
（解錠→施錠）
図２３から図２６は解錠状態から施錠するまでを示す。図２３は解錠状態である。この解錠状態では戸先錠２０、ハンドル締り４０は解錠されている。戸先錠２０の操作ツマミ２８は下降した位置にある。ハンドル６１は障子１の内部側へ向って横方向を向いている。この状態では障子１は開閉自在である。また、鎌２３、掛金４８は竪框１ｄ内にある。
【０１０５】
上記状態では、戸先錠２０の鎌２３に設けた開時ロック部２３ａがスライドバー７０の下端に当り、開時ロック部２３ａは上昇できないので戸先錠２０は施錠できない。
【０１０６】
従って、上述のような機能を有しない開き窓、辷り出し窓において、解錠状態では障子が開いた状態で戸先錠を施錠状態の鎌が竪框から出た状態にすることができるとすれば、障子を閉めると鎌を竪枠にぶつけたり、または、障子を閉めればハンドル締りにかかわらず施錠状態にできるとすれば、障子が引寄せられていないにも拘らず操作ツマミで鎌を受けに向って突出させると受けの縁に鎌がぶつかったり、鎌の側面と受けのスリットの縁と強くせり合ったりし、何れも戸先錠をいためるおそれがある。
【０１０７】
図２３において障子１を閉めた状態でハンドル６１を９０度下方へ向って回転させると図２４の位置ヘスライドバー７０が上方に移動し、戸先錠２０の鎌２３に設けた開時ロック部２３ａに対するスライドバー７０による規制が解除される。同時に掛金４８が受５４に係合して障子１は引寄せられる。
【０１０８】
既にのべたように戸先錠２０のスライドプレート２２を付勢するばね２４には上下両方向へ付勢するばね２４を用いている場合はマニュアルロックとなる。またばね２４がスライドプレート２２の位置にかかわらずスライドプレート２２を上方（施錠方向へ）付勢するばねである場合はオートロックとなる。
【０１０９】
図２４の状態でマニュアルロックの場合は操作ツマミ２８は下方にあってばね２４のばね力で下方ヘ付勢されている。
【０１１０】
図２５に示すように図２４の状態から矢印イで示すように操作ツマミ２８を上昇すると、スライドプレート２２はばね２４のばね力に抗して上昇して鎌２３は鎌支持軸２５ｂを中心にして時計回りに回り竪框１ｄから半ば出る。このとき、開時ロック部２３ａは竪框１ｄ内へ退く。操作ツマミ２８を更に上昇してばね２４による死点を過ぎるとスライドプレート２２はばね２４のばね力で上方への運動を助勢されて上昇し、鎌２３は更に回動して受け３１と係合する。
【０１１１】
図２６はハンドル締り４０、戸先錠２０が上述のようにして施錠された状態である。
【０１１２】
オートロックの場合はばね２４のばね力は戸先錠２０の各部の摺動抵抗に打克って鎌２３を解錠位置から施錠位置へ回転させるだけの大きさを有している。そこで図２３からハンドル６１を時計回りに回転するとスライドバー７０が上昇する。このスライドバー７０の上昇に追従するかのように鎌支持軸２５ｂを中心にして鎌２３が回転してスライドバー７０が上昇過程にある状態を経て図２６のようにハンドル締り４０、戸先錠２０が共に施錠される。
【０１１３】
（施錠→解錠）
図２６から図２９、図２３は施錠状態から解錠するまでを示す。上述したように図２６は施錠状態である。図２６の施錠状態では戸先錠２０、ハンドル締り４０共施錠されている。戸先錠２０の操作ツマミ２８は上昇した位置にある。ハンドル６１は竪框１ｄに沿って垂下している。この状態では障子１は引寄せられており、開くことはできない。また、鎌２３は受け３１と係合している。この係合は既にのべたように鎌２３側から解除できない。即ち、図１５で示したようにカム作動子２２ｂのロック面２２ｂ１が鎌２３のロック面２３ｃ１に面接触しているため、鎌２３を鎌支持軸２５ｂを中心にして反時計回りに回転させようとしても回り得ない。従って、侵入しようとする者が竪枠２ｃと竪框１ｄ間の隙間からピッキング具を用いて鎌２３を押し下げようとしても鎌２３は不動である。
【０１１４】
ハンドル締り４０は掛金４８先端側を持ち上げようとしても、図１９に示すようにスタッド４９の中心と角穴５２ｂの中心を結ぶ直線よりもピン５３の中心がわずかに右側にあるので掛金４８も施錠状態において掛金４８に解錠方向に力を加えても解錠できない。
【０１１５】
戸先錠２０、ハンドル締り４０が共に施錠状態では、鎌２３の閉時ロック部２３ｂと上昇限度位置にあるスライドバー７０下端とは図２６に示すようにｈ１のクリアランスがある。戸先錠２０が解錠した状態（図２４参照）において開時ロック部２３ａと上昇限度位置にあるスライドバー７０の下端とのはｈ２のクリアランスがある。ここでｈ２＞ｈ１となっている。
【０１１６】
図２７のように図２６からハンドル６１を反時計回りに回転するとスライドバー７０はクリアランスｈ１だけ下降して鎌２３の閉時ロック部２３ｂに当り、一定角度以上ハンドル６１は回らない。このとき掛金４８は受５４との係合は浅くはなっても係合したままであって、障子１は引寄せられたままである。従ってハンドル締り４０の解錠は出来ず、障子１を開くことは出来ない。
戸先錠が施錠状態でハンドル締りが解錠できるとするとハンドルを持ったまま障子を押し開こうとしないとも限らない。ハンドルは握り易く力を入れ易いので障子を押すときに力を入れてしまい鎌をいためるおそれがある。本例によればこのおそれは解消する。
【０１１７】
障子１を開くためには、図２８に矢印ロで示すように戸先錠２０の操作ツマミ２８を下に下げて戸先錠２０を解錠状態の図２９のようにする。マニュアルロック、オートロック共、同様である。
【０１１８】
マニュアルロックの場合は操作ツマミ２８が下降限の位置に保持されるので操作ツマミ２８から指を放してよい。
【０１１９】
オートロックの場合は図２６の鎌２３が受け３１と係合している施錠状態から操作ツマミ２８を下に下げながら、ハンドル６１を反時計回りに回転する。このとき、鎌２３が鎌支持軸２５ｂを中心に反時計回りに回転する際に、閉時ロック部２３ｂも下がるので、図２９のようにスライドバー７０はクリアランスｈ２下がることができる。そして、図２３のようにハンドル６１を９０度反時計回りに回転すると障子１に重なって横方向を向き、掛金４８は受５４から離れる。そして、鎌２３は竪框１ｃ内に退き、開時ロック部２３ａは竪框１ｃから突出してその上面が降下してきたスライドバー７０の下端と一致した位置となる。
【産業上の利用可能性】
【０１２０】
本発明はハンドル締りと戸先錠とをスライドバーで連動させた施錠装置であって、窓の開閉操作をしようとする者がハンドル締り、戸先錠を損傷させたり、戸先錠を解錠不能としてしまうような誤った解錠方法、施錠方法をとろうとしても、誤った解錠、施錠操作はできないようになっている。従って、ハンドル締り、戸先錠共に正常な使用が保障され耐久性がある。また、解錠不能となってしまわないので解錠不能となった場合の保守時間のロスがない。
【図面の簡単な説明】
【０１２１】
【図１】内部側から見る開き窓の正面図である。
【図２】図１のＡ−Ａ拡大断面図である。
【図３】図１のＢ−Ｂ拡大断面図である。
【図４】図１のＣ−Ｃ拡大断面図である。
【図５】解錠状態における戸先錠を室内側から見る側面図である。
【図６】施錠状態における戸先錠を室内側から見る側面図である。
【図７】施錠状態における戸先錠の平面図である。
【図８】解錠状態における戸先錠の正面図である。
【図９】図５の左方側を見る戸先錠の背面図である。
【図１０】外部側から見る戸先錠の側面図である。
【図１１】鎌を外して見る戸先錠の縦断面図である。
【図１２】室内側より見る戸先錠の縦断面図である。
【図１３】戸先錠の作用を示す側面図である。
【図１４】戸先錠の作用を示す側面図である。
【図１５】戸先錠の作用を示す側面図である。
【図１６】戸先錠の作用を示す側面図である。
【図１７】戸先錠の作用を示す側面図である。
【図１８】戸先錠の作用を示す側面図である。
【図１９】ハンドル締りの縦断面図である（室内側より見る）。
【図２０】一部断面で示すハンドル締りの平面図である。
【図２１】ハンドル締りの縦断面図である（図１９から一部部品を外した状態）。
【図２２】ハンドル装置の縦断面図である。
【図２３】障子を見付方向(壁面に平行な方向、以下同じ)から見る正面図である(ハンドル締り、戸先錠共開錠)。
【図２４】障子を見付方向から見る正面図である(ハンドル締り施錠、戸先錠開錠)。
【図２５】障子を見付方向から見る正面図である(ハンドル締り施錠、戸先錠施錠中)。
【図２６】障子を見付方向から見る正面図である(ハンドル締り、戸先錠共施錠)。
【図２７】障子を見付方向から見る正面図である(ハンドル締り、戸先錠共施錠)。
【図２８】障子を見付方向から見る正面図である(ハンドル締り施錠、戸先錠解錠中)。
【図２９】障子を見付方向から見る正面図である(ハンドル締り施錠、戸先錠解錠)。
【符号の説明】
【０１２２】
1…障子  １ａ…上框  １ｂ…下框  １ｃ…吊元側竪框  １ｄ…戸先側竪框  １ｅ…条溝  １ｈ，１ｉ…ガラス溝  １ｊ，１ｋ…係止突条  １ｍ…ガイド条溝  １ｎ…中空部  １ｏ，１ｐ…突条  １ｑ…長穴  １ｒ…内側材  １ｓ…長穴                            ２…開口枠  ２ａ…条溝  ２ｂ…上枠  ２ｃ…竪枠  ２ｄ…周面材２ｅ…長穴  ２ｆ，２ｇ…突条  ２ｉ…ガイド溝  
３…パッキン
４…パッキン
５…ヒンジ
６…ガラス
７…グレージングビード
８…パッキン
９…ガラス枕
１１…支え
１２…アタッチ材  １２ａ，１２ｂ…係止突条
１３…裏板  １３ａ…めねじ  １３ｂ…長穴  １３ｃ…めねじ
１４…裏板  １４ａ，１４ｂ…めねじ
２０…戸先錠
２１…ケース  ２１ａ，２１ｂ…平板部  ２１ｃ…前板  ２１ｄ…開口  ２１ｅ…ストッパ  ２１ｆ…フランジ  ２１ｇ…取付穴  ２１ｈ…切り込み  ２１ｉ，２１ｊ…ガイド溝  ２１ｋ…開口
２２…スライドプレート  ２２ａ…スライド板部  ２２ｂ…カム作動子  ２２ｂ１…ロック面  ２２ｂ２…面  ２２ｃ…ガイド片  ２２ｄ…ばね掛け  ２２ｅ…アーム部  ２２ｆ…ツマミ取付部  ２２ｇ…めねじ  ２２ｈ…竪溝  ２２ｉ，２２ｊ…ガイド溝
２３…鎌  ２３ａ…開時ロック部  ２３ｂ…閉時ロック部  ２３ｃ…カム溝  ２３ｃ１…ロック面  ２３ｃ２，２３ｃ３…斜面部  ２３ｄ…鎌穴  ２３ｅ…鎌先  ２３ｆ…ストッパ  ２３ｋ…２等分線  ２３ｍ…ストッパ
２４…ばね
２５ａ…ばね掛け軸  ２５ｂ…鎌支持軸
２６…ワッシャ
２７…小ねじ
２８…ツマミ  ２８ａ…小ねじ用穴
２９…小ねじ
３０…操作シール
３１…受け  ３１ａ…スリット  ３１ｂ…小ねじ用穴
３２…トロカバー  ３２ａ…フランジ  ３２ｂ…小ねじ用穴
３３…小ねじ
４０…ハンドル締り
４１…ケース  ４１ａ…取付フランジ  ４１ｂ…小ねじ用穴  ４１ｃ，４１ｄ…側板  ４１ｅ…天板
４２…小ねじ
４３…スライド  ４３ａ…ガイド溝  ４３ｂ…スライドバー取付部４３ｃ…ばね座  ４３ｄ…めねじ
４４…ガイドピン  
４５…ガイドピン
４６…ばね
４７…ばねケース  ４７ａ…下端
４８…掛金  ４８ａ…長穴  ４８ｂ…カム部
４９…スタッド
５１…連桿  ５１ａ…丸穴
５２…レバー  ５２ａ…根本軸部  ５２ｂ…角穴
５３…ピン
５４…受  ５４ａ…受面  ５４ｂ…本体  ５４ｃ…カバー部  ５４ｅ…フランジ  ５４ｆ…小ねじ用穴
５５…小ねじ
６０…ハンドル締り
６１…ハンドル  ６１ａ…軸部  ６１ｂ…かしめ  ６１ｃ…溝  ６１ｄ…角軸部
６２…台座  ６２ａ…軸受部  ６２ｂ…ストッパ  ６２ｃ…取付穴  
６４…スペーサー
６５…裏板
６６…板ばね
６７…角軸
７０…スライドバー  ７０ａ…長穴  ７０ｂ…小ねじ用穴
７１…小ねじ
【図１】
2006193892.tif 000003
【図２】
2006193892.tif 000004
【図３】
2006193892.tif 000005
【図４】
2006193892.tif 000006
【図５】
2006193892.tif 000007
【図６】
2006193892.tif 000008
【図７】
2006193892.tif 000009
【図８】
2006193892.tif 000010
【図９】
2006193892.tif 000011
【図１０】
2006193892.tif 000012
【図１１】
2006193892.tif 000013
【図１２】
2006193892.tif 000014
【図１３】
2006193892.tif 000015
【図１４】
2006193892.tif 000016
【図１５】
2006193892.tif 000017
【図１６】
2006193892.tif 000018
【図１７】
2006193892.tif 000019
【図１８】
2006193892.tif 000020
【図１９】
2006193892.tif 000021
【図２０】
2006193892.tif 000022
【図２１】
2006193892.tif 000023
【図２２】
2006193892.tif 000024
【図２３】
2006193892.tif 000025
【図２４】
2006193892.tif 000026
【図２５】
2006193892.tif 000027
【図２６】
2006193892.tif 000028
【図２７】
2006193892.tif 000029
【図２８】
2006193892.tif 000030
【図２９】
2006193892.tif 000031